(57)【要約】【課題】係止体（ピン）に対するバネ付勢を水平面内で行なうことにより本体形状を扁平状とすると共に、ドアの開け閉めのみで確実なドアの開放状態の保持と開放状態の解除を行なうことができる戸当たりを提供する。【解決手段】ドアに固定されるストライクと、床面に固定される戸当たり本体部１０ａとからなるものであって、戸当たり本体部１０ａは縦状の短軸枠体１と、側面に付設される該ストライクのピンを出入り自在とするピン開口部Ｘと、一端が軸支され該ピン開口部の所定位置にバネ８の付勢により配設されピンの押圧力によりバネ付勢に抗して所定角度回動するアーム部材３と、短軸枠体１に回動自在に遊嵌すると共にアーム部材３の先端係合部３３との係合により所定角度回動してピン開口部Ｘを開状態又は閉状態にするリング状回動体２を備える。【選択図】　　　　図１
2004131997.tif 000002
【特許請求の範囲】
【請求項１】
ドアに固定されるストライクと、床面に固定される戸当たり本体部とからなるものであって、該戸当たり本体部は、縦状の短軸枠体と、側面に付設される該ストライクのピンを出入り自在とするピン開口部と、一端が軸支され該ピン開口部の所定位置にバネ付勢により配設されピンの押圧力によりバネ付勢に抗して所定角度回動するアーム部材と、該短軸枠体に回動自在に遊嵌すると共に該アーム部材の先端係合部との係合により所定角度回動して前記ピン開口部を直接的又は間接的に開状態又は閉状態にするリング状回動体を備えることを特徴とする床付け戸当たり。
【請求項２】
前記リング状回動体は、前記短軸枠体に外接で回動自在に遊嵌し側周面が開口部と壁部の繰り返し構造であって、裏面には表面にある開口部と壁部の合計数と同じ個数の鋸刃状の係合溝を等ピッチで形成すると共に、前記アーム部材の係合部と該リング状回動体の係合溝が係合して前記ピンの押圧力に起因する該アーム部材の所定角度の回動に連動して該リング状回動体を回動させることを特徴とする請求項１記載の床付け戸当たり。
【請求項３】
前記ピンの押圧を受けるピン当接部と、該ピン当接部と一体であって前記ピン開口部にスライド自在に嵌合するスライド体からなるバンパー部材を、該スライド体の後方側が前記アーム部材と当接するようにピン開口部に更に配設することを特徴とする請求項２記載の床付け戸当たり。
【請求項４】
前記リング状回動体の壁部が内側に上りとなる勾配を有する傾斜面であると共に、前記ストライクのピンがバネ付勢に抗して没入自在に付設されることを特徴とする請求項２又は３記載の床付け戸当たり。
【請求項５】
前記短軸枠体に嵌められたリング状回動体の裏面位置が、底板の裏面から０．３〜３．０ｍｍ離れていることを特徴とする請求項２〜４のいずれか１項記載の床付け戸当たり。
【請求項６】
前記リング状回動体は、前記短軸枠体内に付設されたリング溝に回動自在に遊嵌し内周面には鋸刃状の係合溝を等ピッチで形成すると共に、上面には該係合溝の個数に対してその半分の突起部を等ピッチで形成するものであり、前記ピン開口部には該突起部との接触又は非接触によりピン開口部を開閉する回動板を付設し、前記アーム部材の先端係合部と該リング状回動体の係合溝が係合して前記ピンの押圧力に起因する該アーム部材の所定角度の回動に連動して該リング状回動体を回動させることを特徴とする請求項１記載の床付け戸当たり。
【発明の詳細な説明】
【０００１】
【発明の属する技術分野】
本発明は、ドアの開け閉め操作のみで該ドアの開き状態を維持したり、解除したりする床付け戸当たりに関するものである。
【０００２】
【従来の技術】
従来、家屋の各部屋に設置されるドアを開く際、壁面への激突を防止すると共に、開き状態に維持する手段として、床付け戸当たりが知られている。一般的には、激突を避ける壁の手前の床面にドアと対向する面に緩衝材を付設すると共にリング状の係り具を設けた床付け戸当たりと、ドアの略先端部に付設される該係り具が架かるフック状の係合部材とからなるものが使用されている。
【０００３】
近年、改良された種々の形態の戸当たりが提案されている。特許文献１の特開２０００−４５６０６号公報には、床に固定する戸当たり本体と、ドアに固定し、該戸当たり本体の上端部と保持可能に形成した係止体とから構成し、戸当たり本体、係止体のいずれか一方に保持力調整手段を配設した戸当たりが開示されている。また、特許文献２の特開２０００−２４８８０８号公報には、弾性材料製の戸当たり部に、扉に設けられた磁着部を磁着するマグネットあるいは磁性材料製の扉仮保持部を係合させ並設してなる戸当たり装置が開示されている。また、特許文献３の特開平１０−３２５２７４号公報には、戸当たり本体を床面に固定する固定体と、ばねにより上方に付勢されながら固定体に上下方向に摺動可能に配設され、足の踏み面により操作可能な形状に形成した、ストッパーを係止する可動係止体と、戸当たり本体の最外周に配設した緩衝体とで構成した戸当たりが開示されている。これらの戸当たりはいずれもドアの開き操作のみで戸当たり本体と係止体が仮止め又は保持される点で有用なものである。
【０００４】
【発明が解決しようとする課題】
しかしながら、特開２０００−４５６０６号公報や特開平１０−３２５２７４号公報に記載の戸当たりは、戸当たり本体と係止体の係合が上下方向に付勢する弾性体によるものであり、戸当たり形状が上下方向で大きくなり見栄えが悪いという問題がある。また、係合体やストッパーの先端が室内側に突出しているため、安全とは言い難くまた同様に見栄えが悪いという問題がある。また、特開２０００−２４８８０８号公報記載の戸当たりはドアが戸当たり部に激しく当たるような場合には、弾性材料が付設されているものの、仮保持が困難となる場合があると共に、結局はフック部材による保持であるため、保持状態を解除するには腰をかがめての手動作や足での解除操作が必要となり面倒である。
【０００５】
従って、本発明の目的は、係止体（ピン）に対するバネ付勢を水平面内で行なうことにより本体形状を扁平状とすると共に、ドアの開け閉めのみで確実なドアの開放状態の保持と開放状態の解除を行なうことができる戸当たりを提供することにある。
【０００６】
【特許文献１】
特開２０００−４５６０６号公報（特許請求の範囲、図１、図２）
【特許文献２】
特開２０００−２４８８０８号公報（特許請求の範囲、図１）
【特許文献３】
特開平１０−３２５２７４号公報（特許請求の範囲、図１）
【０００７】
【課題を解決するための手段】
すなわち、本発明の床付け戸当たりは、ドアに固定されるストライクと、床面に固定される戸当たり本体部とからなるものであって、該戸当たり本体部は、縦状の短軸枠体と、側面に付設される該ストライクのピンを出入り自在とするピン開口部と、一端が軸支され該ピン開口部の所定位置にバネ付勢により配設されピンの押圧力によりバネ付勢に抗して所定角度回動するアーム部材と、該短軸枠体に回動自在に遊嵌すると共に該アーム部材の先端係合部との係合により所定角度回動して前記ピン開口部を直接的又は間接的に開状態又は閉状態にするリング状回動体を備えることを特徴とする。
【０００８】
【発明の実施の形態】
本発明の第１の実施の形態における床付け戸当たりを図１〜図１４を参照して説明する。図１は本例の戸当たり本体部の分解図、図２はリング状回動体の裏側から見た斜視図、図３（Ａ）はアーム部材とバンパー部材との係止関係を示す表側から見た図、（Ｂ）は（Ａ）の底面図、図４はアーム部材とバンパー部材との係止関係を示す裏側から見た図、図５はリング状回動体、蓋材及び中間組み付け体に分解した図、図６はフリーの状態におけるリング状回動体とアーム部材の関係を示す図、図７はストライクピンの押圧を受けた作動開始状態におけるリング状回動体とアーム部材の関係を示す図、図８はストライクピンの押圧を受けた最大作動状態におけるリング状回動体とアーム部材の関係を示す図、図９はフリー状態におけるストライクと戸当たり本体部の関係を示す図、図１０はストライクピンの押圧を受けピン開口部が閉じた状態におけるストライクと戸当たり本体部の関係を示す図、図１１はドアを開状態に拘束する状態図、図１２は開状態のドアを無拘束にする状態図、図１３はストライクの分解図、図１４はストライクピンの長さ調整方法を説明する図である。なお、図６〜図８は短軸枠体を透視すると共に、バンパー部材の表側部材を透視した図である。
【０００９】
本例の床付け戸当たり１０は、ドアに固定されるストライク１０ｂと、床面側に固定される戸当たり本体部１０ａとからなる。戸当たり本体部１０ａは、床面に固定されると共に短軸枠体１をネジ止めする底板６と、リング状回動体２を回動させる機構、すなわち、アーム部材３、バンパー部材４、ラチェット５及びトーションバネ８を収納する縦状の短軸枠体１と、リング状回動体２と、蓋材７とからなる。
【００１０】
底板６は円形薄板であって３箇所のネジ孔６２と１箇所の小ネジ孔６３と端方向に付設されるボス６１とからなる。ネジ孔６２は短軸枠体１と底板６を通って床面に達するネジ９を通す孔であり、小ネジ孔６３は短軸枠体１と底板６を固定する小ネジ６４を通す孔である。
【００１１】
短軸枠体１は中央を横断する帯び状の開口１８を有する円形枠体であって、所定強度を有し３個のネジ孔１４を有する天板１９と、開口１８と側周面１９１に形成されたアーム部材回動用切欠１７とで形成されるアーム部材３の回動空間１８１と、天板１９の裏面とで所定高さのレール溝１２を形成すると共にピン開口部の入口とバンパー係止止め端部１３を形成する開口部基板１１を備える。短軸枠体１はピン開口部を開閉させるアーム部材３の作動が水平面内であるため、高さ方向の寸法を短くできる。このため、リング状回動体２が嵌めこまれても扁平状にでき、意匠性に優れた戸当たり本体部とすることができる。
【００１２】
バンパー部材４は前段部材４２とこれより高い中央部材４１とこれより低いが前段部材４２より高い後段部材４５の表面段差部材と、裏面中央に下方に突出するアーム部材当接部４３とからなる。該バンパー部材４の幅寸法は、短軸枠体１の開口１８の幅よりやや小さく、且つ前段部材４２の厚みがレール溝１２の高さより小さく設定されている。このようなバンパー部材４は中央部材４１の前面部がピンの押圧を受けるピン当接部となり、前段部材４２がレール溝１２にスライド自在に嵌合するスライド体となる。
【００１３】
アーム部材３は短軸枠体１の一方の天板１９の裏面に付設されるボス１９２に一端が軸支されるケース体３２と、該ケース体３２にバネ３４を介して遊嵌すると共に先端側に付勢される先端がフック形状３６の先端係合部３３を備える。ラチェット５はリング状回動体２が回動した後、アーム部材３がトーションバネ８により元の位置に戻される際、連れ回りすることを防止するものであり、短軸枠体１のボス１９２に一端が軸支される本体部５２と、短軸枠体１の突起部（不図示）に係合する係合凹部５３と、リング状回動体２の裏面に形成された鋸刃状の係合溝２３に係合するラチェット片５１からなる。
【００１４】
リング状回動体２は、短軸枠体１に外接で回動自在に遊嵌し、側周面が内側に上りとなる勾配を有する傾斜面である壁部２１と開口部２２の繰り返し構造であって、本例では壁部２１と開口部２２がそれぞれ４５度の間隔で配設される繰り返し構造である。裏面には表面にある壁部２１と開口部２２の合計数と同じ個数の鋸刃状の係合溝２３を等ピッチ、すなわち、４５度間隔で形成する（図２参照）。リング状回動体２は側周面が内側に上り勾配の傾斜面を有するため、後述するバネ付勢に抗して没入自在のストライクピンを用いれば、誤作動によりピン開口部が閉じた状態が待機状態の場合であっても、該ピンは側周面に沿って上昇しピン拘束位置に落とすことができる。また、蓋材７は短軸枠体１の開口部と略同じ形状の開口７１を有するキャップであり、側面下方の係合突起７２と短軸枠体１の嵌合溝１６が着脱自在に嵌合する。
【００１５】
このような構成部品からなる戸当たり本体部１０ａを組み付けるには、例えばアーム部材３の上面にバンパー部材４の後段部材４５を乗せて（図３及び図４）、アーム部材３の軸孔３１を短軸枠体１のボス１９２に嵌め込む。この際、バンパー部材４を短軸枠体１の開口１８に入り込ませると共に、前段部材４２をレール溝１２に嵌めこむ。次いでラチェット５を短軸枠体１のボス１９２に嵌め込み更に係合凹部５３を短軸枠体１の係合突起（不図示）に嵌め込む。このように、短軸枠体１、バンパー部材４、アーム部材３及びラチェット５を仮組み付けした後、底板６のボス６１を短軸枠体１のボス孔１５に挿入し、短軸枠体１と底板６を小ネジ６４で一体化させる。次にトーションバネ８をその孔部をボス６１に差し込みアーム部材３を短軸枠体１に対してピン開口１１１側とは反対方向に付勢するように取り付ける。これにより、アーム部材３はその一方の側面３５がバンパー部材４のアーム部材当接部４３の後方面を押し付け、アーム部材当接部４３の前方面が短軸枠体１の開口部基板１１の後方端面１３に当接することで停止する。この状態でバンパー部材４の前段部材４２の前方が空くためピン開口部Ｘを構成することになる。
【００１６】
このようなリング状回動体２と蓋材７以外を組み込んだ中間組み付け体１０ｃを得る（図５）。次いで中間組み付け体１０ｃにリング状回動体２を短軸枠体１の外周部に沿うように置く。リング状回動体２の内径は短軸枠体１の外径よりもやや大きいため、リング状回動体２は短軸枠体１に容易に嵌め込むことができる。この際、アーム部材３はバネ３４の付勢でその長さが最大であり、係合部３３の先端部がリング状回動体２の裏面の係合溝２３ｄに係合している（図６）。次いでこの組み付け体を床面の所定位置に置き、３本のネジ９で床面に固定する。その後、蓋材７をその係合突起７２が短軸枠体１の蓋材嵌合溝１６に嵌るように蓋をする。これにより戸当たり本体部１０ａの組み付けが完了する。このような戸当たり本体部１０ａは、短軸枠体１に嵌められたリング状回動体２の裏面位置が、底板の裏面から０．３〜３．０ｍｍ、好ましくは０．３〜１．０ｍｍ離れていることが、床面が完全な平坦面でない場合もありリング状回動体２と床面の摩擦を回避でき、安定した回動が実現できる点で好ましい。
【００１７】
また、本例の戸当たり本体部１０ａにおいて、バンパー部材４を省略し、アーム部材３にストライクピン１０１が直接当たるようにしてもよい。この場合、短軸枠体１のピン開口部分にピン先端が当接する基板を設けることが、ピンの出入りを円滑にする点で好適である。
【００１８】
本例の床付け戸当たり１０の他の構成部材であるストライク１０ｂは、ドアに固定されストライクピンが下方に突出しているものであれば特に制限されない。本例のストライク１０ｂは、図１３及び図１４に示すように、本体部１０７と、ピン長さ調整部材１０３と、バネ１０５と、ストライクピン１０１と、ネジ部材１０２からなる。本体部１０７は４個のネジ孔１０４を有する取り付け部１０８と、上方側に所定高さで形成される星型断面の凹溝１０３ａ、及び下方側に所定長さで形成される雌ねじ（不図示）を有する嵌合部１０９とからなる。ピン長さ調整部材１０３は外形状が嵌合部１０９の凹溝１０３ａと嵌合すると共にバネ１０５の一部をその中に収納する筒状体である。また、星型断面の凹溝１０３ａは六角レンチや十字ドライバーで回転操作ができる形状の穴である。ストライクピン１０１はピン部１０１ｂとバネ１０５を嵌める突起部１０１ａとからなり、ピン部１０１ｂの上方にはネジ部材の係合凸部１１２と嵌合する係合凹部１１３を有する。ネジ部材１０２は外周が嵌合部１０９の雌ネジに螺合する雄ネジであり、内形状がストライクピン１０１のピン部１０１ｂを下方へ突出させる位置で支持すると共に内側に突出する係合凸部１１２とストライクピン１０１の係合凹部１１３と嵌合し、ストライクピン１０１を回動不能にしている。このような構造のストライク１０ｂはストライクピン１０１をバネ付勢に抗して没入自在とすることができる。
【００１９】
次に、ストライクピンの長さ調整方法について図１４を参照して説明する。図１４（Ａ）に示すストライク１０ｂはストライクピン１０１の長さが取り付け部１０８の下方端基準でＨ１のものである。この長さを短くする場合、先ず六角レンチＢをピン長さ調整部材１０３の凹溝１０３ａに挿入しバネ１０５の付勢に抗して押し込む。すると、ピン長さ調整部材１０３と嵌合部の雌ネジとの螺合が外れる（Ｂ）。この場合長さ調整部材１０３、ストライクピン１０１及びネジ部材１０２は一体化している。このため、六角レンチＢを図１４の（Ｃ）に示すように左回しするとネジ部材１０２は嵌合部の雌ネジが右ネジであるため、嵌合部１０９の中に入り込む。適宜の長さＨ２となったら六角レンチＢを凹溝１０３ａから引き抜く。この際、ピン長さ調整部材１０３はバネ１０５の付勢により上方に押しやられストライクピン１０１から離れて再び嵌合部の雌ネジに螺合する。Ｈ１長さを長くするには図（Ｃ）における六角レンチの回転を右回りにするだけでよい。
【００２０】
次に床付け戸当たり１０の作動機構を図６〜図１２を参照して説明する。図６及び図９はフリーの状態（待機状態）における床付け戸当たりである。フリー状態ではバンパー部材４はピン開口側に付勢されており前段部材４２と開口部基板１１でピン開口部Ｘを形成している。すなわち、ピン開口部Ｘにはリング状回動体２の開口部２２ａが位置している。この状態でドアＡが開かれストライクピン１０１がピン開口部Ｘに入ってくる。ピン１０１の押圧力によりバンパー部材４の前段部材４２がバネ付勢に抗して後方に押され、アーム部材当接部４３がアーム部材３を更に押すためアーム部材３はボス１９２を中心に回動する。アーム部材３の先端係合部３３はリング状回動体２の係合溝２３ｄと係合しているため、リング状回動体２も回転する（図７）。アーム部材３の回動範囲は本例では短軸枠体１のアーム部材回動用切欠１７で規制されるリング状回動体２を４５度回動させる範囲である（図８）。また、ラチェト片５１は最初の係合溝２３ｈから後方の係合溝２３ｇに係合する。この際、ピン開口部Ｘにはリング状回動体２の壁部２１ｄが位置して開口を閉じる（図１０）。
【００２１】
ドアＡの押圧が無くなると、トーションバネ８の付勢によりアーム部材３が元の位置に戻されバンパー部材４もピン入口側に戻される。この際、先端係合部３３は係合溝２３ｃに係合する。また、ラチェット片５１は係合溝２３ｇに係合しているため、リング状回動体２はアーム部材３の戻りに同期して連れ回ることはない。これにより、ドアＡは開状態でロックされる（図１１）。
【００２２】
次に、ドアＡを開状態とするロックを解除する。今度はドアＡを更に開ける方向に押すと、最初の作動順序と同様にピン１０１の押圧力によりバンパー部材４の前段部材４２がバネ付勢に抗して後方に押され、アーム部材当接部４３がアーム部材３を更に押すためアーム部材３はボス１９２を中心に回動し、リング状回動体２も同様の方向に回転する。すなわち、図では省略するが、アーム部材３の先端係合部３３は係合溝２３ｃに係合しながらリング状回動体２を４５度回動させる。ラチェト片５１は係合溝２３ｇから後方の係合溝２３ｆに係合する。この際、ピン開口部Ｘにはリング状回動体２の開口部２２ｄが位置して開口を開ける（図１２）。
【００２３】
ドアＡが戸当たり本体部１０ａから解放され離れると、トーションバネ８の付勢によりアーム部材３が元の位置に戻されバンパー部材４もピン入口側に戻されて、元のフリーの状態になる。以後は、フリー状態、ドアＡの開きによる押圧、停止及び再押圧の各動作の繰り返しにより、リング状回動体２が停止状態から同方向に４５度毎回転し、ピン開口部Ｘは開状態と閉状態の繰り返しとなる。
【００２４】
第１の実施の形態における床付け戸当たり１０によれば、係止体（ピン）に対するバネ付勢を水平面内で行なうため、本体形状を扁平状にできると共に、リング状回動体の所定角度の回動によりピン開口部を直接的に開状態又は閉状態にするため、ドアの開け閉めのみで確実なドアの開放状態の保持と開放状態の解除を行なうことができる。
【００２５】
次に本発明の第２の実施の形態における床付け戸当たりを図１５〜図２０を参照して説明する。図１５は本例の戸当たり本体部の分解図、図１６は蓋材及び中間組み付け体に分解した図、図１７（Ａ）はストライクピンを拘束する状態におけるリング状回動体とアーム部材の関係を示す図、（Ｂ）は（Ａ）のＢ−Ｂ線に沿って見た図、図１８（Ａ）はストライクピンの再押圧を受けた最大作動状態におけるリング状回動体とアーム部材の関係を示す図、（Ｂ）は（Ａ）のＢ−Ｂ線に沿って見た図、図１９（Ａ）は待機状態におけるリング状回動体とアーム部材の関係を示す図、（Ｂ）は（Ａ）のＢ−Ｂ線に沿って見た図、図２０（Ａ）はフリー状態におけるストライクと戸当たり本体部の関係を示す図、（Ｂ）はストライクピンの押圧を受けピン開口部が閉じた状態におけるストライクピンと戸当たり本体部の関係を示す図、（Ｃ）はドアを開状態に拘束する状態図で図１７に対応する図、（Ｄ）は開状態で拘束されたドアを無拘束にする状態図で図１９に対応する図である。なお、図１７〜図１９は短軸枠体の表側部材及びピン開口部Ｘを開閉する回動板を透視した図である。
【００２６】
本第２の実施の形態例の床付け戸当たりにおいて、第１の実施の形態例の床付け戸当たりと相違する主たる点は、戸当たり本体部において、リング状回動体を短軸枠体内のリング溝に遊嵌する、いわゆる内接型とした点、リング状回動体の回動により回動板を倒伏さえたり起立させたりして間接的にピン開口部Ｘを開閉するようにした点にある。すなわち、戸当たり本体部１００ａは床面に固定される底板６００と、リング状回動体３００を回動させる機構、すなわち、アーム部材５００及びトーションバネ５１０を収納する扁平状の短軸枠体２００と、短軸枠体２００に回動自在に取り付けられる倒伏又は起立によりピン開口部Ｘを開閉する回動板４００と、蓋材７００からなる。
【００２７】
底板６００は円形薄板であって３箇所のネジ孔６０１と、３箇所の小ネジ孔６０２と、周端面の一部に起立する板状のバネ部６０４を有する係合板壁材６０３とからなる。ネジ孔６０１は短軸枠体２００と底板６００を通って床面に達するネジ１１０を通す孔であり、小ネジ孔６０２は短軸枠体２００と底板６００を固定する小ネジ９００を通す孔である。
【００２８】
短軸枠体２００は中央に位置する段差を有する薄厚基板２０３で分断される２つの開口２０２、２０４を有する扁平状の円錐枠体であって、所定強度を有し３個のネジ孔２１５を有する天板２０１と、裏面に偏心して段差状に付設されるリング状回動体３００が遊嵌するリング溝２１７と、トーションバネが取り付けられるボス２０７と、底板に付設された係合板壁材６０３が嵌め込まれる溝２１９を備える。段差状のリング溝２１７の表側の深溝部は遊嵌するリング状回動体３００の山状突起部３０１が遊嵌する溝である。薄厚基板２０３の底板２１６と開口２０２はアーム部材５００が水平方向に所定の角度回動する略扇形の回動空間を形成し、略扇形の要の位置にある短軸枠体２００には雌ネジ穴を有する筒状体２０８が付設されている。開口２０４は矩形状の回動板４００よりやや大きい開口であり、該開口２０４の両側にある短軸枠体２００の裏面には回動軸４０２が嵌合する軸穴２０６が付設されている。また、開口２０４周りはその前方に薄板開口板２０５を、後方に薄板基板２０３を有し、回動板４００が嵌め込まれ倒伏した状態で表面部分がピンが円滑に出入りするような同一水平面を構成する。短軸枠体２００はピン開口部Ｘを開閉させる回動板４００を倒伏又は起立させるアーム部材５００の作動が水平面内であるため、高さ方向の寸法を短くできる。このため、リング状回動体３００が嵌めこまれても扁平状にでき、意匠性に優れた戸当たり本体部とすることができる。
【００２９】
アーム部材５００は短軸枠体２００に付設される筒状体２０８に嵌合するネジ穴５０４と、アーム本体部５０１と、アーム本体部中央側面に立設する半円筒状の当接部５０２と、深い切り込みにより弾発性を持たせた先端係合片５０３を備える。また、アーム部材５００の裏面は段差状であり、アーム部材５００が筒状体２０８に嵌合すると、短軸枠体２００の開口２０２と薄厚基板２０３で形成される底板２１６の段差形状に沿って水平状に載置されるようになっている。
【００３０】
リング状回動体３００は、短軸枠体２００の裏面に形成された段差を有するリング溝２１７に埋没するように且つ回動自在に遊嵌し、表面には６０度の等間隔で配設される山状の突起部３０１を有し、内周面には１２個の鋸刃状の係合溝３０２を等ピッチ、すなわち、３０度間隔で形成すると共に、外周面には１２個の係合凹部３０４を形成する（図１５参照）。また、蓋材７００は短軸枠体２００のピン開口部と略同じ形状の開口７０２を有するキャップであり、側面前方の係合突起７０１と短軸枠体２００の嵌合溝２１８が着脱自在に嵌合する。回動板４００は略矩形状であり、一端両側には回動軸４０２を有すると共に、裏面にはリング状回動体３００の幅寸法よりやや大きな切欠部４０３を有している。
【００３１】
このような構成部品からなる戸当たり本体部１００ａを組み付けるには、例えば回動板４００を開口２０４の下方から入れ込み、回動軸４０２を短軸枠体２００の軸穴２０６に嵌め込み、次いで短軸枠体２００のリング溝２１７にリング状回動体３００を嵌め込む。リング状回動体３００及び回動板４００は共に、手で下支えしないと下方に脱落する。このため、この２部材を短軸枠体２００に取り付けた後は底板６００を取り付けるのがよい。底板６００は各ネジ穴を短軸枠体２００のネジ穴に合わせると共に、係合板壁材６０３を溝２１９に嵌め込む。更に、アーム部材５００の軸穴５０４を筒状体２０８に回動自在に嵌め込み、ネジ８００でネジ止めして脱落を防止する。アーム部材５００の先端係止片５０３はリング状回動体３００の係合溝３０２に係合させる。次いでトーションバネ５１０をボス２０７に係合させ、アーム部材５００をピン開口側に付勢するように配設する。次いで３本のネジ１１０で短軸枠体２００と底板６００を貫通して床面に固定する。そして最後に蓋材７００を取り付けて組み付けを完了する。この状態は待機状態であり、アーム部材５００は短軸枠体２００の底板２１６のピン開口部Ｘ側に当接した状態であり、且つ回動板４００が倒伏状態であるため、ピン開口部Ｘは側方向に空いている（図２０（Ａ））。
【００３２】
次に床付け戸当たり１００ａの作動機構を図１７〜図２０を参照して説明する。図１７〜図１９ではストライクピン拘束状態から開放状態に至る作動機構を説明する。図１７及び図２０（Ｃ）はストライクピン拘束状態における床付け戸当たり１００ａである。この状態でドアＡは開状態であり、ストライクピン１０１はピン拘束位置Ｙにあると共に、ピン開口部Ｘにはリング状回動体３００の山状突起３０１が位置して回動板４００を斜め傾斜まで起こすため、開口を閉じている（図１７（Ｂ）、図２０（Ｃ））。次いで、ストライクピン１０１の拘束を解くには、ピン１０１の再押圧力によりアーム部材５００をバネ付勢に抗して後方に押す（図２０（Ｄ））。これにより、アーム部材５００はボス２０８を中心に回動する。アーム部材５００の先端係合片５０３はリング状回動体３００の係合溝３０２と係合しているため、リング状回動体３００も回転する（図１８）。アーム部材５００の回動範囲は本例では短軸枠体２００の基板２１６の扇形形状で規制され、リング状回動体３００が３０度回動したところで停止する。従って、ピン開口部Ｘにはリング状回動体３００の山状突起が無い平坦部がくるため、回動板４００は支えが無くなり重力により倒伏する。このため、ピン開口部Ｘは側方向に空くため、ストライクピン１０１が拘束状態から解かれる。この際、ドアＡの押圧が無くなると、トーションバネ５１０の付勢によりアーム部材５００が元の位置に戻され、先端係合片５０３は後ろの係合溝３０２に係合する。また、ラチェット機能を有するバネ片６０４は係合溝３０４に係合しているため、リング状回動体３００はアーム部材５００の戻りに同期して連れ回ることはない。これにより、戸当たり本体部１００ａは元の待機状態となる（図１９、図２０（Ａ））。以後は、第１の実施の形態と同様に、停止（ピンの拘束）、再押圧、フリー状態、ドアＡの開きによる押圧の各動作が繰り返えされ、リング状回動体３００が停止状態から同方向に３０度毎回転し、ピン開口部Ｘには山状突起部３０１が来たり消えたりするため、回動体４００は倒伏と傾斜起立の繰返しで、その結果ピン開口部Ｘは開状態と閉状態の繰り返しとなる。本例の戸当たり本体部１００ａは、リング状回動体３００のアーム状部材５００と係合する係合溝３０２及び山状突起部の配設ピッチ３０１は上記３０度に限定されず、適宜決定される。
【００３３】
第２の実施の形態における床付け戸当たりによれば、係止体（ピン）に対するバネ付勢を水平面内で行なうため、本体形状を扁平状にできると共に、内蔵されたリング状回動体の所定角度の回動によりピン開口部を間接的に開状態又は閉状態にするため、ドアの開け閉めのみで確実なドアの開放状態の保持と開放状態の解除を行なうことができる。
【００３４】
【発明の効果】
本発明によれば、係止体（ピン）に対するバネ付勢を水平面内で行なうことにより本体形状を扁平状とすると共に、ドアの開け閉めのみで確実なドアの開放状態の保持と開放状態の解除を行なうことができる。
【図面の簡単な説明】
【図１】第１の実施の形態例の戸当たり本体部の分解図である。
【図２】リング状回動体の裏側から見た斜視図である。
【図３】アーム部材とバンパー部材との係止関係を示す表側から見た図である。
【図４】アーム部材とバンパー部材との係止関係を示す裏側から見た図である。
【図５】リング状回動体、蓋材及び中間組み付け体に分解した図である。
【図６】フリーの状態におけるリング状回動体とアーム部材の関係を示す図である。
【図７】ストライクピンの押圧を受けた作動開始状態におけるリング状回動体とアーム部材の関係を示す図である。
【図８】ストライクピンの押圧を受けた最大作動状態におけるリング状回動体とアーム部材の関係を示す図である。
【図９】フリー状態におけるストライクと戸当たり本体部の関係を示す図である。
【図１０】ストライクピンの押圧を受けピン開口部が閉じた状態におけるストライクと戸当たり本体部の関係を示す図である。
【図１１】ドアを開状態に拘束する状態図である。
【図１２】開状態のドアを無拘束にする状態図である。
【図１３】ストライクの分解図である。
【図１４】ストライクピンの長さ調整方法を説明する図である。
【図１５】第２の実施の形態例の戸当たり本体部の分解図である。
【図１６】蓋材及び中間組み付け体に分解した図である。
【図１７】（Ａ）はストライクピンを拘束する状態におけるリング状回動体とアーム部材の関係を示す図、（Ｂ）は（Ａ）のＢ−Ｂ線に沿って見た図である。
【図１８】（Ａ）はストライクピンの再押圧を受けた最大作動状態におけるリング状回動体とアーム部材の関係を示す図、（Ｂ）は（Ａ）のＢ−Ｂ線に沿って見た図である。
【図１９】（Ａ）は待機状態におけるリング状回動体とアーム部材の関係を示す図、（Ｂ）は（Ａ）のＢ−Ｂ線に沿って見た図である。
【図２０】（Ａ）はフリー状態におけるストライクと戸当たり本体部の関係を示す図、（Ｂ）はストライクピンの押圧を受けピン開口部が閉じた状態におけるストライクピンと戸当たり本体部の関係を示す図、（Ｃ）はドアを開状態に拘束する状態図、（Ｄ）は開状態で拘束されたドアを無拘束にする状態図である。
【符号の説明】
１、２００　　　　短軸枠体
２、３００　　　　リング状回動体
３、５００　　　　アーム部材
４　　　　バンパー部材
５　　　　ラチェット
６　　　　底板
７　　　　蓋材７
８、５１０　　　　トーションバネ
９　　　　ネジ
１０　　　床付け戸当たり
１０ｂ　　ストライク
１０ａ　　戸当たり本体部
１１　　　開口部基板
１２　　　レール溝
１３　　　バンパー係止止め端部
１７　　　アーム部材回動用切欠
１８　　　開口
１８１　　回動空間
１９　　　天板
１９１　　側周面
２１　　　壁部
２２　　　開口部
３２　　　ケース体
３３　　　係合部材
３４　　　バネ
４１　　　中央部材
４２　　　前段部材
４３　　　アーム部材当接部
４５　　　後段部材
５１　　　ラチェット片
５２　　　本体部
５３　　　係合凹部
６１、１９２　ボス
６２　　　ネジ孔
７２　　　係合突起
１０１　　ストライクピン
１０２　　ネジ部材
１０３　　ピン長さ調整部材
１０３ａ　凹溝
１０５　　バネ
１０７　　本体部
１０９　　嵌合部
１１２　　係合凸部
１１３　　係合凹部
４００　　回動板
【図１】
2004131997.tif 000003
【図２】
2004131997.tif 000004
【図３】
2004131997.tif 000005
【図４】
2004131997.tif 000006
【図５】
2004131997.tif 000007
【図６】
2004131997.tif 000008
【図７】
2004131997.tif 000009
【図８】
2004131997.tif 000010
【図９】
2004131997.tif 000011
【図１０】
2004131997.tif 000012
【図１１】
2004131997.tif 000013
【図１２】
2004131997.tif 000014
【図１３】
2004131997.tif 000015
【図１４】
2004131997.tif 000016
【図１５】
2004131997.tif 000017
【図１６】
2004131997.tif 000018
【図１７】
2004131997.tif 000019
【図１８】
2004131997.tif 000020
【図１９】
2004131997.tif 000021
【図２０】
2004131997.tif 000022